(57)【要約】【課題】封水ラインにおける黒ずみの発生を抑制できる浴室を提供すること。【解決手段】排水トラップは、本体内を天面から垂設された遮蔽部材により流入室と流出室との２室に区画し、流入室の天面に洗い場床排水流入用の開口を設け、遮蔽部材と本体底面との間の封水に水没する部位に流入室と流出室との連通部を設け、流出室に流出口を設け、流入室の側面に浴槽排水が流入する浴槽排水流入口を設け、浴槽排水が遮蔽部材に衝突することで流入室内に渦流を発生させるように構成されており、制御部は、実行指令を受信した後、所定時間経過するまでは電解水を吐出せずに、所定時間経過した後に電解水を吐出させるように制御を実行する。【選択図】図７
2019094673.tif 000002
【特許請求の範囲】
【請求項１】
浴槽と、前記浴槽に設けられた排水栓と、洗い場床に形成された排水口の下方に設置された排水トラップと、前記排水トラップへ向かって除菌作用を有する電解水を吐出可能な電解水吐出装置と、電解水吐出の実行指令を受信すると電解水を吐出させる制御を実行する制御部と、使用者の操作によって前記実行指令を前記制御部へ送信する操作部と、を備えた浴室であって、
前記排水トラップは、
本体内を、天面から垂設された遮蔽部材により流入室と流出室との２室に区画し、
前記流入室の天面に洗い場床排水流入用の開口を設け、
前記遮蔽部材と本体底面との間の封水に水没する部位に、前記流入室と前記流出室との連通部を設け、
前記流出室に流出口を設け、
前記流入室の側面に浴槽排水が流入する浴槽排水流入口を設け、
前記浴槽排水が前記遮蔽部材に衝突することで前記流入室内に渦流を発生させるように構成されており、
前記制御部は、前記実行指令を受信した後、所定時間経過するまでは電解水を吐出せずに、該所定時間経過した後に電解水を吐出させるように制御を実行することを特徴とする浴室。
【請求項２】
前記操作部は、使用者の操作によって前記実行指令を前記制御部へ送信するとともに、前記浴槽の前記排水栓を開状態にすることを特徴とする請求項１記載の浴室。
【請求項３】
前記所定時間は、浴槽水が排出開始してから排出完了するまでの時間と想定される浴槽水排出相当時間である３００秒以上の長さであることを特徴とする請求項１または２記載の浴室。
【請求項４】
前記所定時間が経つまでの間に、前記排水口へ向かって電解水ではない水道水を吐出させ、前記所定時間経過した後に電解水を吐出させることを特徴とする請求項１〜３のいずれか１つに記載の浴室。
【請求項５】
電解水ではない水道水は、浴槽水が排出開始してから排出完了するまでの時間と想定される浴槽水排出相当時間である３００秒以上の長さで、前記排水口へ向かって吐出されることを特徴とする請求項４記載の浴室。
【請求項６】
前記所定時間が経つまでの間に、前記洗い場床へ向かって電解水ではない水道水を吐出させることを特徴とする請求項１〜３のいずれか１つに記載の浴室。
【請求項７】
電解水ではない水道水は、浴槽水が排出開始してから排出完了するまでの時間と想定される浴槽水排出相当時間である３００秒以上の長さで、前記排水口へ向かって吐出されることを特徴とする請求項６記載の浴室。
【発明の詳細な説明】
【技術分野】
【０００１】
本発明は、浴室に関する。
【背景技術】
【０００２】
浴室の洗い場床に向かって除菌水を吐出させる除菌水吐出装置が知られている（特許文献１）。このような除菌水吐出装置において、吐出させる除菌水として、例えば、流れてきた水（水道水）を電気分解することで生成する次亜塩素酸水などの電解水を利用することも知られている。このような電解水を除菌水として利用することで、例えば洗剤などを利用する場合と比べ、洗剤などを蓄えるカートリッジ等の用意・交換が不要であり、非常に使い勝手が良い。
【０００３】
また、一般的に、使用者は、入浴などの浴室利用行為が完了した後、浴槽の排水栓を開くとともに、除菌水開始指令を実行することで、除菌水を排水口へ向かって吐出させるものである。
【先行技術文献】
【特許文献】
【０００４】
【特許文献１】特開２００９−１７８４７０号公報
【特許文献２】特許第３８８６０５５号公報
【発明の概要】
【発明が解決しようとする課題】
【０００５】
排水口の内部には封水が形成されている。この封水の水面と、封水を形成する排水トラップとが接する線（封水ライン）には、皮脂など水面に浮きやすい汚れが接触・付着し、それを栄養源として菌が繁殖しやすい。また、封水ラインは、カビや菌が成長するのに必要な水、栄養、空気が揃う部位である。そのため、封水ラインには黒ずみが発生しやすいものである。
【０００６】
出願人は、この問題に着目し、排水口の内部に形成された封水ラインに対して除菌水を作用させ、黒ずみ発生を抑制したいと考えた。
【０００７】
しかしながら、上述した通り、例えば次亜塩素酸水などの電解水を除菌水として利用した場合、電解水は菌に接触すると殺菌するとともに水に戻ってしまうため、排水口の開口部から流入した電解水が封水ラインにたどり着く前に、電解水の除菌成分の濃度が低下してしまう。したがって、封水ラインにおける黒ずみの発生を適切に抑制できないといった課題が発生した。
【０００８】
本発明は、封水ラインにおける黒ずみの発生を抑制できる浴室を提供することを目的とする。
【課題を解決するための手段】
【０００９】
第１の発明の浴室は、浴槽と、前記浴槽に設けられた排水栓と、洗い場床に形成された排水口の下方に設置された排水トラップと、前記排水トラップへ向かって除菌作用を有する電解水を吐出可能な電解水吐出装置と、電解水吐出の実行指令を受信すると電解水を吐出させる制御を実行する制御部と、使用者の操作によって前記実行指令を前記制御部へ送信する操作部と、を備えた浴室であって、前記排水トラップは、本体内を、天面から垂設された遮蔽部材により流入室と流出室との２室に区画し、前記流入室の天面に洗い場床排水流入用の開口を設け、前記遮蔽部材と本体底面との間の封水に水没する部位に、前記流入室と前記流出室との連通部を設け、前記流出室に流出口を設け、前記流入室の側面に浴槽排水が流入する浴槽排水流入口を設け、前記浴槽排水が前記遮蔽部材に衝突することで前記流入室内に渦流を発生させるように構成されており、前記制御部は、前記実行指令を受信した後、所定時間経過するまでは電解水を吐出せずに、該所定時間経過した後に電解水を吐出させるように制御を実行することを特徴としている。  
第１の発明によれば、使用者が入浴などの浴室利用行為が完了した後、浴槽の排水栓を開くとともに、操作部を操作した際に、あえて所定時間経過するまでは電解水を吐出せずに、その所定時間経過した後に電解水を吐出させる。  
浴槽の排水栓が開かれると、浴槽排水が遮蔽部材に衝突することで流入室内に渦流が発生し、その渦流によって封水内に遠心力が発生し、一時的に、排水トラップと封水とが接する封水ラインの水位が上昇する。これにより、実際の封水ラインよりも上方の排水口内部の内壁に付着した皮脂や髪毛などを洗い流すことができる。  
このため、黒ずみが発生しやすい本来の封水ラインにたどり着く前に排水口内部の内壁に付着した皮脂との接触によって電解水の除菌成分の濃度が低下してしまうのを抑制できる。すなわち、除菌成分の濃度を低下させずに電解水を排水口内部の封水ラインへ流入させることができる。したがって、電解水を除菌水として利用した場合であっても、封水ラインにおける黒ずみの発生を適切に抑制することができる。  
第２の発明は、第１の発明において、前記操作部は、使用者の操作によって前記実行指令を前記制御部へ送信するとともに、前記浴槽の前記排水栓を開状態にすることを特徴とする。  
第２の発明によれば、上記渦流によって、封水ラインより上方の排水口内部の内壁に付着した皮脂や髪毛などを確実に洗い流した後に、電解水を排水口へ向かって流入させることができる。これにより、除菌成分濃度の低下を抑えた電解水を確実に封水ラインに流入させることができる。  
第３の発明は、第１または第２の発明において、前記所定時間は、浴槽水が排出開始してから排出完了するまでの時間と想定される浴槽水排出相当時間である３００秒以上の長さであることを特徴とする。  
第３の発明によれば、浴槽水の排出が完了した後、すなわち、排水トラップ内での上記渦流の発生による一時的な水位の上昇が終わった後（渦流が消失した後）に、排水トラップ内に電解水を流入させることができる。これにより、渦流とともに排出されてしまう電解水の無駄をなくし、電解水を確実に本来の封水ラインに流入させることができる。  
第４の発明は、第１〜第３の発明のいずれか１つにおいて、前記所定時間が経つまでの間に、前記排水口へ向かって電解水ではない水道水を吐出させ、前記所定時間経過した後に電解水を吐出させることを特徴とする。  
第４の発明によれば、浴槽水の排出により流入室内に渦流を発生させることで、実際の封水ラインより上方の排水口内部の内壁に付着した皮脂や髪毛などを洗い流すことができるものの、渦流は汚水で形成された封水であるため、渦流発生が完了した後も、依然、汚水は排水口内部の内壁に付着している状態になり得る。そこで、所定時間が経つまでの間に、電解水ではない水道水を吐出させることで、排水口内部の内壁を洗い流すことができる。  
第５の発明は、第４の発明において、電解水ではない水道水は、浴槽水が排出開始してから排出完了するまでの時間と想定される浴槽水排出相当時間である３００秒以上の長さで、前記排水口へ向かって吐出されることを特徴とする。  
第５の発明によれば、渦流発生が完了した後に、電解水ではない水道水を吐出させることができ、より確実に排水口内部の内壁を洗い流すことができる。  
第６の発明は、第１〜第３の発明のいずれか１つにおいて、前記所定時間が経つまでの間に、前記洗い場床へ向かって電解水ではない水道水を吐出させることを特徴とする。  
第６の発明によれば、排水トラップの流入室内に渦流を発生している最中に、水道水によって洗い場床表面の皮脂汚れなどを洗い流し、その後、電解水を吐出させることができる。したがって、予め洗い場床表面の皮脂汚れなどを水道水で洗い流しておくことで、電解水の吐出を開始してから、洗い場床表面の皮脂汚れが排水口内部に流れ込んでくる可能性を抑制できる。  
第７の発明は、第６の発明において、電解水ではない水道水は、浴槽水が排出開始してから排出完了するまでの時間と想定される浴槽水排出相当時間である３００秒以上の長さで、前記排水口へ向かって吐出されることを特徴とする。  
第７の発明によれば、渦流発生が完了した後まで、電解水ではない水道水を吐出させることができ、洗い場床を洗浄した水道水を利用して、より確実に排水口内部の内壁を洗い流すことができる。
【発明の効果】
【００１０】
本発明の浴室によれば、封水ラインにおける黒ずみの発生を抑制できる浴室が提供される。
【図面の簡単な説明】
【００１１】
【図１】実施形態に係る浴室洗浄装置の全体構成を示すシステムブロック図。
【図２】実施形態に係る浴室の模式斜視図。
【図３】実施形態に係る浴槽の平面図。
【図４】実施形態に係る吐水部の斜視図。
【図５】（ａ）は実施形態に係る排水トラップの模式斜視図であり、（ｂ）は同排水トラップの模式断面図。
【図６】（ａ）は実施形態における電解水の吐出タイムチャートであり、（ｂ）は実施形態における水道水及び電解水の吐出タイムチャート。
【図７】実施形態における排水トラップ内の渦流の発生および電解水の流入を説明するための模式断面図。
【図８】実施形態における排水トラップ内の渦流の発生および水道水の流入を説明するための模式断面図。
【図９】実施形態における排水トラップ内への水道水および電解水の流入を説明するための模式断面図。
【発明を実施するための形態】
【００１２】
以下、添付図面を参照しながら本発明の実施の形態について説明する。説明の理解を容易にするため、各図面において同一の構成要素に対しては可能な限り同一の符号を付して、重複する説明は省略する。
【００１３】
図１は、実施形態に係る浴室洗浄装置１の全体構成を示すシステムブロック図である。
【００１４】
浴室洗浄装置１は、電源３０と、制御部４０と、操作部３５と、電解水吐出装置１００とを備えている。電解水吐出装置１００は浴室のカウンターに設置される。
【００１５】
図２（ａ）は、実施形態に係る浴室５００の模式斜視図である。  
図２（ｂ）は、浴室５００におけるカウンター５３０の近傍を拡大した模式斜視図である。  
図３は、浴槽５１０の平面図である。
【００１６】
図２（ａ）に示すように、浴室５００は、４つの壁５４１〜５４４と天井５４５に囲まれている。その浴室５００内に、浴槽５１０、洗い場床５２０、およびカウンター５３０が設けられている。さらに、浴室５００には、鏡、水栓装置、ハンドシャワーなどが適宜設けられている。
【００１７】
浴槽５１０の一対の短辺側に、第１の壁５４１と第２の壁５４２が互いに対向して設けられている。浴槽５１０の一方の長辺側に第４の壁５４４が設けられている。その第４の壁５４４に対向して、洗い場床５２０側に第３の壁５４３が設けられている。
【００１８】
洗い場床５２０には排水口５２１が設けられている。図２（ａ）に示す例では、排水口５２１は、洗い場床５２０における浴槽５１０側の縁部近傍であって、洗い場床５２０の長手方向の略中央に位置している。
【００１９】
洗い場床５２０の表面（床面）には、第１の壁５４１側の縁部、第２の壁５４２側の縁部、および第３の壁５４３側の縁部から、排水口５２１へと向かう緩やかな下り傾斜（排水勾配）が設けられている。
【００２０】
カウンター５３０は、例えば第２の壁５４２に取り付けられている。カウンター５３０は、洗い場床５２０の表面から上方に離間して設置されている。カウンター５３０は、上方から見たときに、洗い場床５２０の短辺方向に沿った長辺をもつ略矩形状の形状を有する。
【００２１】
図２（ｂ）に示すように、カウンター５３０は、天板５３１と、天板５３１の下方を覆うカバー５３２とを有する。図１に示す電解水吐出装置１００は、一部の要素（止水栓５０、吐水部１０）を除いて、天板５３１とカバー５３２で囲まれたカウンター５３０の内部に収容されている。
【００２２】
吐水部（ノズル部）１０は、図２（ｂ）に示すように、カウンター５３０の下方に突出するように設けられている。吐水部１０は、洗い場床５２０の表面から離間している。また、吐水部１０は、カウンター５３０の横幅方向（短手方向）における中央付近に設置されている。すなわち、吐水部１０は、洗い場床５２０の長手方向の一端側であって且つ短辺方向の中央付近に設置されている。この位置での後述する吐水部１０の回転動作により、水道水および電解水を洗い場床５２０の略全体に吐水しやすくなる。
【００２３】
図３に示すように、浴槽５１０の底面には排水栓５１１が設けられている。排水栓５１１は、浴槽５１０の底面に形成された浴槽排水口を開閉する。浴槽５１０のリムには排水栓ボタン５１２が設けられ、この排水栓ボタン５１２の操作により、排水栓５１１は開閉される。
【００２４】
図１に示す止水栓５０は水道水が供給される給水管と接続される。その止水栓５０は、ストレーナ５１と接続されている。ストレーナ５１の下流側は定流量弁５２に接続され、その定流量弁５２の下流側は２つの配管６１、６２に分岐している。
【００２５】
一方の配管６１には電磁弁５３が設けられ、その電磁弁５３の下流側は吐水部１０の第１の吐水口１１につながっている。また、例えば寒冷地などでは、電磁弁５３と吐水部１０との間に必要に応じて水抜弁５４が接続される。
【００２６】
他方の配管６２には、上流側から順に、ストレーナ５５、電磁弁５６、調圧弁５７、逆止弁５９、電解水生成部２０、ストレーナ６５、および吐水部１０の第２の吐水口１２が接続されている。また、調圧弁５７と逆止弁５９との間に安全弁５８が接続されている。
【００２７】
また、電解水吐出装置１００は、吐水部１０を回転（旋回）動作させるモーター（例えばステッピングモーター）６６を有する。このモーター６６も、カウンター５３０の内部に収容されている。
【００２８】
制御部４０は、電磁弁５３、電磁弁５６、電解水生成部２０、およびモーター６６の動作を制御する。電源３０はそれらに電力を供給する。また、電源３０は操作部３５に電力を供給する。電源３０は、図２（ａ）に示すように例えば浴室５００の天井５４５の裏に設置される。制御部４０は、カウンター５３０の内部、または浴室５００の天井５４５の裏に設置される。
【００２９】
電磁弁５３は制御部４０の制御によって開閉される。電磁弁５３が開くと、水道水が第１の吐水口１１から吐水される。電磁弁５３が閉じると、第１の吐水口１１から水道水は吐水されない。
【００３０】
電磁弁５６は制御部４０の制御によって開閉される。電磁弁５６が開くと、水道水が電解水生成部２０に供給され、その電解水生成部２０で生成された電解水が第２の吐水口１２から吐水される。電磁弁５６が閉じると、第２の吐水口１２から電解水は吐水されない。
【００３１】
調圧弁５７による水道水の圧力制御により、電解水生成部２０に供給される水道水の流量が調整される。電解水生成部２０に供給される水道水の流量調整により、第２の吐水口１２から吐水される電解水の流量が調整される。
【００３２】
また、電磁弁５３、５６によって、その下流側に供給される水道水の流量を調整することができる。
【００３３】
電解水生成部２０は電解水を生成する。この電解水は除菌作用を有する除菌水である。電解水生成部２０は、例えば陽極と陰極とを有する電解槽である。それら陽極と陰極との間に電圧を印加して、陽極と陰極との間を流れる水道水を電気分解することで、水道水は電解水に変性する。水道水は塩化物イオンを含んでいるため、その塩化物イオンを電気分解することによって、次亜塩素酸が生成される。
【００３４】
次亜塩素酸は、菌を死滅させ、さらに菌の繁殖を抑える能力をもつ。したがって、電解水は、次亜塩素酸を含み、除菌作用を有する除菌水である。
【００３５】
図４は、吐水部１０の斜視図である。
【００３６】
吐水部１０は、円筒状に形成され、その下部側面に第１の吐水口１１と第２の吐水口１２が設けられている。第１の吐水口１１および第２の吐水口１２は、それぞれ、縦長のスリット状に形成されている。
【００３７】
第１の吐水口１１と第２の吐水口１２は、円筒状の吐水部１０の周方向に並んで配置されている。または、第１の吐水口１１と第２の吐水口１２を高さ方向に並んで配置してもよい。
【００３８】
第１の吐水口１１からは、電解水でない水道水が洗い場床５２０に吐水される。第２の吐水口１２からは、前述した電解水（除菌水）が洗い場床５２０に吐水される。円筒状の吐水部１０内に水道水または電解水を一時的に貯留することができ、吐水圧力を上昇させることができる。
【００３９】
縦長の第１の吐水口１１から、縦方向（上下方向）に扇状に広がった水道水を吐水することができる。同じく縦長の第２の吐水口１２から、縦方向（上下方向）に扇状に広がった電解水を吐水することができる。
【００４０】
前述したモーター６６の駆動により、円筒状の吐水部１０をその中心軸（図４において１点鎖線で示す）のまわりに回転させ、水道水や電解水が吐出される方向を変化させることができる。
【００４１】
図５（ａ）は実施形態に係る排水トラップ７０の模式斜視図であり、図５（ｂ）は排水トラップ７０の模式断面図である。
【００４２】
排水トラップ７０は、洗い場床５２０に形成された排水口５２１の下方に設置されている。洗い場床５２０には凹状に排水枡９１が一体形成されており、排水枡９１の下部に排水トラップ７０が連結されている。排水枡９１の上面は、図２（ａ）に示す排水カバー９５で覆われる。
【００４３】
排水枡９１の底側にはフランジ部材９２がパッキンを介して取り付けられ、このフランジ部材９２に排水トラップ７０の上端が取り付けられている。フランジ部材９２内には上方から着脱可能にヘアキャッチャー８１が取り付けられている。
【００４４】
排水トラップ７０の本体８０の上方には、洗い場排水流入用の開口９３が設けられている。洗い場床５２０側からの排水は、排水枡９１を通り、開口９３から排水トラップ７０内に流入する。
【００４５】
排水トラップ７０の本体８０の側面に、浴槽排水流入口７８が開口形成されている。浴槽排水流入口７８は、この浴槽排水流入口７８に接続された配管を通じて、浴槽排水口に接続されている。
【００４６】
浴槽排水流入口７８の反対側に流出口７９が開口形成されている。排水トラップ７０内に流れ込んだ浴槽排水、洗い場排水、電解水などは、流出口７９を通じて、この流出口７９に接続された排水管に流出する。
【００４７】
流出口７９の上流側には、本体８０の底面７２より一体に立ち上げられた封水壁７７が形成されている。この封水壁７７の上端が封水面Ｗの高さとなる。
【００４８】
封水壁７７の上流側には、排水トラップ７０の本体８０内を天面７１から垂設された遮蔽部材７６が設けられている。遮蔽部材７６は、排水トラップ７０内を流入室７３と流出室７４との２室に区画する。遮蔽部材７６の下端と、排水トラップ７０の底面７２との間には、流入室７３と流出室７４とを連通させる連通部７５が形成されている。連通部７５は、遮蔽部材７６と底面７２との間の封水に水没する部位に設けられている。
【００４９】
流入室７３の側面に浴槽排水流入口７８が形成され、浴槽排水流入口７８は流入室７３に連通している。浴槽排水流入口７８と略反対側に流出口７９が形成され、流出口７９は流出室７４に連通している。流入室７３の天面（上方）に、洗い場排水流入用の開口９３が形成されている。
【００５０】
排水トラップ７０は、浴槽排水流入口７８から流入した浴槽排水が遮蔽部材７６に衝突することで流入室７３内に渦流を発生させるように構成されている。流入室７３に流入した浴槽排水は、排水トラップ７０の内周面と遮蔽部材７６に沿って旋回して渦流となる。この渦流は、遮蔽部材７６が下端側から上方に向かって拡径状に傾斜されているため、遮蔽部材７６にガイドされて上昇渦流となり、本体８０内を上昇する。
【００５１】
この上昇渦流が排水枡９１の上端付近まで上昇するように遮蔽部材７６の傾斜角度が設定されていれば、上昇渦流により排水枡９１の内周面やヘアキャッチャー８１に付着しているゴミや髪の毛が落とされ、渦の中心に集められ、さらに渦の中心から下方へ落下して、ゴミや髪の毛はヘアキャッチャー８１の下端の底面中央部に集められることとなる。これにより、ヘアキャッチャー８１は、その中央部分以外に髪の毛などが付着していない状態に保たれ、通水が良好となる。
【００５２】
図６（ａ）は、実施形態における電解水の吐出タイムチャートである。
【００５３】
使用者が前述した操作部３５を操作すると（操作部３５がＯＮになると）、操作部３５は制御部４０へ電解水吐出の実行指令を送信する。制御部４０は、操作部３５から電解水吐出の実行指令を受信した後、所定時間経過するまでは電解水を吐出せずに、所定時間経過した後に電解水を吐出させるように制御を実行する。
【００５４】
すなわち、使用者が入浴などの浴室利用行為が完了した後、図３に示す排水栓ボタン５１２を操作して浴槽５１０の排水栓５１１を開くとともに、操作部３５を操作した際に、あえて所定時間経過するまでは電解水を吐出せずに、その所定時間経過した後に電解水を吐出させる。
【００５５】
図７（ａ）〜（ｃ）は、実施形態における排水トラップ７０内の渦流の発生および電解水の流入を説明するための模式断面図である。
【００５６】
図７（ａ）は、浴槽５１０の排水栓５１１が閉じられ、排水トラップ７０内に浴槽排水が流入していない状態を表す。そして、浴槽５１０の排水栓５１１が開かれると、浴槽排水流入口７８から流入した浴槽排水が遮蔽部材７６に衝突することで流入室７３内に渦流が発生する。図７（ｂ）に示すように、その渦流によって封水内に遠心力が発生し、一時的に、排水トラップ７０と封水とが接する封水ラインの水位Ｗ’が上昇する。これにより、封水壁７７の高さで規定される実際の封水ラインＷよりも上方の排水口５２１内部の内壁（排水枡９１の内壁および排水トラップ７０の内壁）に付着した皮脂や髪毛などを洗い流すことができる。
【００５７】
そして、制御部４０は、操作部３５が操作されてから所定時間経過した後に、吐水部１０から電解水を排水口５２１へ向かって吐出させ、図７（ｃ）に示すように電解水が排水口５２１から排水トラップ７０内に流入する。
【００５８】
上記渦流の発生にともなう水位上昇によって、排水口５２１から流入した電解水が本来の封水ラインＷにたどり着くまでの経路の皮脂などが洗い流されている。このため、黒ずみが発生しやすい本来の封水ラインＷにたどり着く前に排水口５２１内部の内壁に付着した皮脂との接触によって電解水の除菌成分の濃度が低下してしまうのを抑制できる。すなわち、除菌成分の濃度を低下させずに電解水を排水口５２１（排水トラップ７０）内部の封水ラインＷへ流入させることができる。したがって、電解水を除菌水として利用した場合であっても、封水ラインＷにおける黒ずみの発生を適切に抑制することができる。
【００５９】
ここで、所定時間は、一般的な大きさの浴槽のほぼ満水時、例えば浴槽の許容水位に対して９割まで浴槽水を溜めた状態から浴槽水の排出を開始し、この排出開始から排出完了するまでの時間と想定される浴槽水排出相当時間である３００秒以上の長さである。この所定時間経過後、電解水は、例えば３９０秒間連続的に吐出される。
【００６０】
所定時間をこのような浴槽水排出相当時間以上の長さに設定することで、浴槽水の排出が完了した後、すなわち、排水トラップ７０内での上記渦流の発生による一時的な水位の上昇が終わった後（渦流が消失した後）に、排水トラップ７０内に電解水を流入させることができる。これにより、渦流とともに排出されてしまう電解水の無駄をなくし、電解水を確実に本来の封水ラインに流入させることができる。
【００６１】
また、操作部３５は、使用者の操作によって電解水吐出の実行指令を制御部４０へ送信するとともに、浴槽５１０の排水栓５１１を開状態にすることもできる。すなわち、操作部３５が使用者によって操作されることで、電解水吐出の実行指令を制御部４０へ送信するのみならず、浴槽５１０の排水栓５１１を開状態にさせる。
【００６２】
使用者が排水栓ボタン５１２を操作しなくても、操作部３５の操作に連動して、より確実に浴槽５１０の排水栓５１１を開状態にさせてから、上記所定時間経過した後に電解水を排水口５２１へ向かって吐出させる。すなわち、上記渦流によって、封水ラインより上方の排水口５２１内部の内壁に付着した皮脂や髪毛などを確実に洗い流した後に、電解水を排水口５２１へ向かって流入させることができる。これにより、除菌成分濃度の低下を抑えた電解水を確実に封水ラインに流入させることができる。
【００６３】
図６（ｂ）は、他の実施形態における水道水及び電解水の吐出タイムチャートである。
図８（ａ）〜図９（ｂ）は、図６（ｂ）に示すタイムチャートに沿った排水トラップ内の封水、水道水、および電解水の作用を説明するための模式断面図である。
【００６４】
この例では、制御部４０は、上記実行指令を受信すると、所定時間が経つまでの間に、排水口５２１へ向かって、電解水ではない水道水を吐出させる。そして、上記実行指令を受信した後、所定時間（この間、水道水が吐出）経過した後に電解水を吐出させる。
【００６５】
図８（ａ）は、浴槽５１０の排水栓５１１が閉じられ、排水トラップ７０内に浴槽排水が流入していない状態を表す。そして、浴槽５１０の排水栓５１１が開かれると、図８（ｂ）に示すように、浴槽排水流入口７８から流入した浴槽排水が遮蔽部材７６に衝突することで流入室７３内に渦流が発生する。
【００６６】
浴槽水の排出により流入室７３内に渦流を発生させることで、実際の封水ラインより上方の排水口５２１内部の内壁に付着した皮脂や髪毛などを洗い流すことができるものの、渦流は汚水で形成された封水であるため、渦流発生が完了した後も、依然、汚水は排水枡９１や排水トラップ７０の内壁に付着している状態になり得る。そこで、所定時間が経つまでの間に、電解水ではない水道水を吐出させることで、排水枡９１や排水トラップ７０の内壁を洗い流すことができる。
【００６７】
電解水ではない水道水は、前述した浴槽水排出相当時間である３００秒以上の長さで、排水口５２１へ向かって吐出される。例えば、操作部３５がＯＮにされると、断続的に水道水が吐出される。図６（ｂ）に示す例では、４８０秒間に２回に分けて断続的に水道水が吐出される。水道水の吐出終了から例えば２４０秒後に、電解水が３９０秒間連続的に吐出される。
【００６８】
水道水を上記浴槽水排出相当時間以上の長さで吐出することで、図９（ａ）に示すように、渦流発生が完了した後に、確実に水道水で排水口５２１内部の内壁を洗い流すことができる。その後、図９（ｂ）に示すように、除菌成分濃度の低下が抑制された電解水が排水口５２１から排水トラップ７０内に流入する。
【００６９】
また、吐水部１０は、上記所定時間が経つまでの間に、洗い場床５２０へ向かって、電解水ではない水道水を吐出させる。すなわち、排水トラップ７０の流入室７３内に渦流を発生している最中に、水道水によって洗い場床５２０表面の皮脂汚れなどを洗い流し、その後、電解水を吐出させることができる。したがって、予め洗い場床５２０表面の皮脂汚れなどを水道水で洗い流しておくことで、電解水の吐出を開始してから、洗い場床５２０表面の皮脂汚れが排水口５２１内部に流れ込んでくる可能性を抑制できる。
【００７０】
その水道水は、前述した浴槽水排出相当時間である３００秒以上の長さで吐出される。これにより、図９（ａ）に示すように、渦流発生が完了した後まで、電解水ではない水道水を吐出させることができ、洗い場床５２０を洗浄した水道水を利用して、より確実に排水口５２１内部の内壁を洗い流すことができる。
【００７１】
本実施形態において、例えば、吐水部１０からの電解水の吐出流速は９（ｍ／ｓ）以上１１（ｍ／ｓ）以下であり、吐水部１０からの水道水の吐出流速は５．６（ｍ／ｓ）である。
【００７２】
また、電解水及び水道水はそれぞれ粒状に吐出される。例えば、電解水の粒径は８００（μｍ）であり、水道水の粒径は０．３（ｍｍ）以上３．５（ｍｍ）以下である。
【００７３】
以上、具体例を参照しつつ本発明の実施形態について説明した。しかし、本発明は、それらに限定されるものではなく、本発明の技術的思想に基づいて種々の変形が可能である。
【符号の説明】
【００７４】
１…浴室洗浄装置、１０…吐水部、２０…電解水生成部、３５…操作部、４０…制御部、７０…排水トラップ、７３…流入室、７４…流出室、７５…連通部、７６…遮蔽部材、７７…封水壁、７８…浴槽排水流入口、７９…流出口、９１…排水枡、９３…開口、１００…電解水吐出装置、５１０…浴槽、５１１…排水栓、５２０…洗い場床、５２１…排水口
【図１】
2019094673.tif 000003
【図２】
2019094673.tif 000004
【図３】
2019094673.tif 000005
【図４】
2019094673.tif 000006
【図５】
2019094673.tif 000007
【図６】
2019094673.tif 000008
【図７】
2019094673.tif 000009
【図８】
2019094673.tif 000010
【図９】
2019094673.tif 000011